(57)【要約】【課題】両軸受リールの発音装置において、簡素な構成で操作部材のクリック感を得ることができるようにする。【解決手段】スプール発音機構８は、スプール３と連動して回転する凹凸部材６０と、凹凸部材６０と接離する方向に移動自在に装着された操作部材６１と、操作部材６１に揺動自在に装着された発音部材６２と、発音部材６２を凹凸部材６０方向に付勢する第１付勢部材６３及び第２付勢部材６４と、第１カバー部材１２ａの長穴１２ｆに装着されるカラー部材６５とを有している。カラー部材６５は、両端部の外形が長穴１２ｆの外形に沿うようにそれぞれ略円形に形成され中央部６５ｃで略円形部分が重なるように連通する第１孔部６５ａ及び第２孔部６５ｂを有する弾性部材製の部材である。【選択図】図３
2011019427.tif 000002
【特許請求の範囲】
【請求項１】
両軸受リールのリール本体に回転自在に装着された糸巻き用のスプールの回転により発音する両軸受リールの発音装置であって、
前記リール本体の側部に貫通し外形が略長円形に形成された長穴に装着され、両端部の外形が前記長穴の外形に沿うようにそれぞれ略円形に形成され中央部で略円形部分が重なるように連通する第１孔部及び第２孔部を有する弾性部材製のカラー部材と、
前記カラー部材の前記第１孔部及び前記第２孔部のいずれかに位置決めされるように移動自在に装着される軸部と、前記軸部の先端部に設けられ前記リール本体の側部外方に露出する操作部とを有する操作部材と、
前記スプールと連動して回転し、外周に周方向に間隔を隔てて複数の凸部が並べて形成された円板状の凹凸部材と、
前記操作部材の前記軸部の基端部に揺動自在に装着され、前記操作部材の前記第１孔部又は前記第２孔部への移動に応じて先端部が前記凹凸部材の前記凸部の間に配置される発音位置と前記凹凸部材の前記凸部から離反する解除位置とに移動自在な発音部材と、
前記発音部材の先端部を前記凹凸部材の前記凸部方向に向くように前記発音部材を付勢する付勢部材と、
を備えた両軸受リールの発音装置。
【請求項２】
前記カラー部材は、合成樹脂製の弾性部材である、請求項１に記載の両軸受リールの発音装置。
【請求項３】
前記カラー部材は、外形が略瓢箪型形状になるように形成されている、請求項１又は２に記載の両軸受リールの発音装置。
【請求項４】
前記カラー部材の前記第１孔部及び前記第２孔部の内径は、前記軸部の外径と略同一となるように形成されている、請求項１から３のいずれか１項に記載の両軸受リールの発音装置。
【請求項５】
前記カラー部材の長軸方向長さは、前記長穴の長軸方向長さと略同一となるように形成されている、請求項１から４のいずれか１項に記載の両軸受リールの発音装置。
【請求項６】
前記軸部は、金属製である、請求項１から５のいずれか１項に記載の両軸受リールの発音装置。
【請求項７】
前記発音部材は、両端にそれぞれ前記付勢部材が取り付けられる取付部と、前記取付部の中央部から前記取付部と交差する方向に延びる発音部とを有する外形が略Ｔ字形状となるように形成されている、請求項１から６のいずれか１項に記載の両軸受リールの発音装置。
【発明の詳細な説明】
【技術分野】
【０００１】
本発明は、発音装置、特に、両軸受リールのリール本体に回転自在に装着された糸巻き用のスプールの回転により発音する両軸受リールの発音装置に関する。
【背景技術】
【０００２】
両軸受リールの発音装置として、スプールの回転に連動して発音するとともにスプールの回転に抵抗を付与する発音装置が知られている（たとえば、特許文献１参照）。従来の発音装置は、スプール軸に回転不能に装着された凹凸部材と、凹凸部材と接離する方向に移動自在にリール本体に装着された操作部材と、凹凸部材の回転により振動する音出し部材と、音出し部材を付勢する付勢部材とを有している。凹凸部材は、外周に周方向に間隔を隔てて並べて配置された多数の凸部を有している。操作部材は、リール本体の側部に貫通し外形が略長円形に形成された長穴に装着され、リール本体にスプール軸の径方向に移動自在に装着されている。音出し部材は、操作部材に揺動自在に装着され、操作部材の移動に応じて先端部が凸部の間に配置される発音位置と凸部から離反する解除位置とに移動自在である。付勢部材は、音出し部材が発音位置にあるとき音出し部材の先端が凹凸部材の回転中心に実質的に向くように音出し部材を付勢する。このような発音装置では、操作部材を長穴の一端側に移動させると、音出し部材の先端部が凸部の間に配置される発音位置に移動して発音可能状態となり、逆に、操作部材を長穴の他端側に移動させると、音出し部材の先端部が凸部から離反する解除位置に移動して発音解除状態となり、すなわち、操作部材の長穴内での移動に応じて、発音可能状態と発音解除状態とを切り換え可能である。
【先行技術文献】
【特許文献】
【０００３】
【特許文献１】特開２００５−１３０７５号公報
【発明の概要】
【発明が解決しようとする課題】
【０００４】
前記従来の発音装置は、操作部材の長穴内での移動に応じて、発音可能状態と発音解除状態とを切り換え可能である。しかし、ここでは、操作部材を長穴内で単純に移動させるだけであるので、釣人が操作部材を長穴の一端側又は他端側に移動させたときに、操作部材を移動させたというクリック感を得ることが難しい。そこで、音出し部材の基端部に操作部材の移動に応じてリール本体内部に当接可能なクリック機構を別途設けることが考えられるが、この場合は、リール本体内部のスペースを確保する必要があるとともに、機構が複雑になるおそれが生じる。
【０００５】
本発明の課題は、両軸受リールの発音装置において、簡素な構成で操作部材のクリック感を得ることができるようにすることにある。
【課題を解決するための手段】
【０００６】
発明１に係る両軸受リールの発音装置は、両軸受リールのリール本体に回転自在に装着された糸巻き用のスプールの回転により発音する両軸受リールの発音装置であって、カラー部材と、操作部材と、凹凸部材と、発音部材と、付勢部材とを備えている。カラー部材は、リール本体の側部に貫通し外形が略長円形に形成された長穴に装着され、両端部の外形が長穴の外形に沿うようにそれぞれ略円形に形成され中央部で略円形部分が重なるように連通する第１孔部及び第２孔部を有する弾性部材製の部材である。操作部材は、カラー部材の第１孔部及び第２孔部のいずれかに位置決めされるように移動自在に装着される軸部と、軸部の先端部に設けられリール本体の側部外方に露出する操作部とを有している。凹凸部材は、スプールと連動して回転し、外周に周方向に間隔を隔てて複数の凸部が並べて形成された円板状の部材である。発音部材は、操作部材の軸部の基端部に揺動自在に装着され、操作部材の第１孔部又は第２孔部への移動に応じて先端部が凹凸部材の凸部の間に配置される発音位置と凹凸部材の凸部から離反する解除位置とに移動自在である。付勢部材は、発音部材の先端部を凹凸部材の凸部方向に向くように発音部材を付勢する。
【０００７】
この発音装置では、リール本体の側部に貫通し外形が略長円形に形成された長穴に装着され第１孔部及び第２孔部を有する弾性部材製のカラー部材が設けられ、操作部材の軸部がカラー部材の第１孔部及び第２孔部のいずれかに位置決めされるように移動するようになっている。ここでは、操作部材の軸部をカラー部材の第１孔部に移動させたとき、発音部材の先端部が凹凸部材の凸部の間に配置される発音位置に移動して発音可能状態となり、操作部材の軸部をカラー部材の第２孔部に移動させたとき、発音部材の先端部が凹凸部材の凸部から離反する解除位置に移動して発音解除状態となる。ここでは、第１孔部及び第２孔部を有する弾性部材製のカラー部材が設けられているので、操作部材の軸部をカラー部材の第１孔部又は第２孔部に移動させるときに、カラー部材の中央部が変形して広がり操作部材の軸部がカラー部材の第１孔部又は第２孔部に位置決めされるように移動する。したがって、比較的単純な形状である第１孔部及び第２孔部を有する弾性部材製のカラー部材を設けることによって、機構を簡素化できるとともに、操作部材の軸部をカラー部材の第１孔部又は第２孔部に移動させたときに、釣人は適度なクリック感を得ることができる。
【０００８】
発明２に係る発音装置は、発明１の発音装置において、カラー部材は、合成樹脂製の弾性部材である。この場合、たとえば、ポリアセタール等の弾性を有する合成樹脂によって、安価かつ容易にカラー部材を形成できる。
【０００９】
発明３に係る発音装置は、発明１又は２の発音装置において、カラー部材は、外形が略瓢箪型形状になるように形成されている。この場合、外形が略瓢箪型形状（８字形状）に形成されているので、カラー部材の中央部が狭く形成されることによって、第１孔部及び第２孔部の操作部材の軸部に対する位置決めが行いやすくなる。
【００１０】
発明４に係る発音装置は、発明１から３のいずれかの発音装置において、カラー部材の第１孔部及び第２孔部の内径は、軸部の外径と略同一となるように形成されている。この場合、第１孔部及び第２孔部の内径と操作部材の軸部の外径とが略同一であるので、第１孔部及び第２孔部の操作部材の軸部に対する位置決めが確実になる。
【００１１】
発明５に係る発音装置は、発明１から４のいずれかの発音装置において、カラー部材の長軸方向長さは、長穴の長軸方向長さと略同一となるように形成されている。この場合、カラー部材の長軸方向長さと長穴の長軸方向長さとが略同一であるので、カラー部材の長穴に対する装着固定が容易になる。
【００１２】
発明６に係る発音装置は、発明１から５のいずれかの発音装置において、軸部は、金属製である。この場合、たとえば、銅合金等の金属によって軸部を形成することにより、カラー部材の第１孔部及び第２孔部に移動させたときに良好なクリック感を得ることができる。
【００１３】
発明７に係る発音装置は、発明１から６のいずれかの発音装置において、この場合、両側の取付部に付勢部材を設けることによって、発音部の先端部を凹凸部材の凸部方向に緩やかに向くようにできる。
【発明の効果】
【００１４】
本発明によれば、両軸受リールの発音装置において、リール本体の側部に貫通し外形が略長円形に形成された長穴に装着され第１孔部及び第２孔部を有する弾性部材製のカラー部材が設けられ、操作部材の軸部がカラー部材の第１孔部及び第２孔部のいずれかに位置決めされるように移動するようになっているので、簡素な構成で操作部材のクリック感を得ることができる。
【図面の簡単な説明】
【００１５】
【図１】本発明の一実施形態を採用した両軸受リールの斜視図。
【図２】前記両軸受リールの断面図。
【図３】前記両軸受リールのスプール発音機構周辺の分解斜視図。
【図４】前記スプール発音機構が発音可能状態であるときにおける前記両軸受リールの操作部材及びカラー部材周辺の側面図。
【図５】前記スプール発音機構が発音解除状態であるときの図４に相当する図。
【図６】前記スプール発音機構が発音可能状態であるときにおける前記両軸受リールの凹凸部材及び発音部材周辺の側面図。
【図７】前記スプール発音機構が発音解除状態であるときの図６に相当する図。
【図８】前記スプール発音機構が発音可能状態であるときにおける前記操作部材及び前記カラー部材の平面断面図。
【図９】前記スプール発音機構が発音解除状態であるときの図８に相当する図。
【図１０】前記スプール発音機構が発音可能状態であるときにおける前記操作部材及び前記カラー部材の側面断面図。
【図１１】前記スプール発音機構が発音解除状態であるときの図１０に相当する図。
【図１２】前記スプール発音機構が発音可能状態であるときにおける前記操作部材及び前記カラー部材の斜視図。
【図１３】前記スプール発音機構が発音解除状態であるときの図１２に相当する図。
【図１４】前記凹凸部材周辺の平面図。
【図１５】前記凹凸部材周辺の側面断面図。
【発明を実施するための形態】
【００１６】
本発明の一実施形態を採用した両軸受リールは、図１及び図２に示すように、中型のレバードラグリールである。レバードラグリールは、筒状のリール本体１と、リール本体１の中心部に回転不能かつ軸方向移動自在に装着されたスプール軸２と、スプール軸２に回転自在かつ軸方向移動不能に支持されたスプール３と、リール本体１の側方に配置されたハンドル４とを備えている。また、レバードラグリールは、図２に示すように、ハンドル４の回転をスプール３に伝達する回転伝達機構６と、スプール３の糸繰り出し方向の回転を制動するレバードラグ機構９とをリール本体１の内部に備えている。
【００１７】
リール本体１は、図１に示すように、金属製の左右１対の皿状の第１側板１０ａ及び第２側板１０ｂと、第１側板１０ａ及び第２側板１０ｂを前後及び下部で連結する連結部１１ａ、連結部１１ｂ、連結部１１ｃと、第１側板１０ａの外方を覆うように第１側板１０ａと一体形成された第１カバー部材１２ａとを有する金属製のフレーム５を備えている。第１カバー部材１２ａの側部の右側上方には、図２及び図３に示すように、第１カバー部材１２ａの側部を貫通し外形が略長円形に形成された長穴１２ｆが形成されている。長穴１２ｆは、図６及び図７に示すように、長穴１２ｆの長軸がスプール３の中心から右上方向に４５度の角度で伸びる直線状に位置するように配置され、後述するスプール発音機構８のカラー部材６５を装着するための段付きの貫通孔である。また、第１カバー部材１２ａの長穴１２ｆの側部外方には、図１０及び図１１に示すように、長穴１２ｆと相似大形状となるように形成され、後述するスプール発音機構８の操作部材６１の操作部６１ｂを収納可能に凹んで形成された収納凹部１２ｇが形成されている。収納凹部１２ｇは、図６及び図７に示すように、収納凹部１２ｇの長軸がスプール３の中心から右上方向に４５度の角度で伸びる直線状に位置するように配置され、外形が略長円形に形成された凹部である。
【００１８】
フレーム５の連結部１１ｃには、レバードラグリールを釣竿に装着するための竿装着部１１ｄが一体形成されている。第１側板１０ａ、第２側板１０ｂ、連結部１１ａ、連結部１１ｂ、連結部１１ｃ及び第１カバー部材１２ａは、金属の切削加工により一体成形されている。
【００１９】
リール本体１は、図１に示すように、第２側板１０ｂの外方を覆う、金属製の第２カバー部材１２ｂを有している。また、第１側板１０ａ及び第２側板１０ｂは、スプール３が通過可能な開口を有している。第１カバー部材１２ａの内部には、スプール軸２の左端を軸方向移動自在かつ回転不能に支持するボス部１２ｃが形成されている。第１カバー部材１２ａの内部には、図２及び図３に示すように、スプール３の回転に応じて発音するスプール発音機構８が設けられている。
【００２０】
スプール発音機構８は、図２及び図３に示すように、スプール３の回転に応じて発音可能であり、かつ発音可能状態と発音不能な発音解除状態とに切り換え可能な機構である。なお、スプール発音機構８が発音可能状態であるときの各部材の配置を、図４、図６、図８、図１０、図１２に示し、スプール発音機構８が発音解除状態であるときの各部材の配置を、図５、図７、図９、図１１、図１３に示す。
【００２１】
スプール発音機構８は、図２及び図３に示すように、スプール３と連動して回転する凹凸部材６０と、凹凸部材６０と接離する方向に移動自在に装着された操作部材６１と、操作部材６１に揺動自在に装着された発音部材６２と、発音部材６２を凹凸部材６０方向に付勢する第１付勢部材６３及び第２付勢部材６４と、第１カバー部材１２ａの長穴１２ｆに装着され操作部材６１を発音可能位置又は発音解除位置に位置決めするための弾性部材製のカラー部材６５とを有している。
【００２２】
凹凸部材６０は、図２から図５に示すように、スプール３と連動して回転し、外周に周方向に間隔を隔てて複数の凸部６０ａが並べて形成された円板状の部材である。凹凸部材６０は、図１４及び図１５に示すように、外周に凸部６０ａが形成された環状の板状部６０ｂと、板状部６０ｂと別体で設けられ先端外周部（図１５左側）が板状部６０ｂの内周部にかしめ固定されるダイカスト製の有底筒状の筒状部６０ｃと、筒状部６０ｃの基端外周部（図１５右側）に一体成形されスプール３に４つのボルト６０ｅでねじ止めするためのフランジである取付部６０ｄとを有している。板状部６０ｂの内周部の内形及び筒状部６０ｃの先端外周部の外形は、円形の対向する２面が平行となるように切り落とされた非円形形状になるように形成されており、板状部６０ｂ及び筒状部６０ｃが相対回転不能に位置決めされる。また、４つのボルト６０ｅは、図１４及び図１５に示すように、板状部６０ｂの最外径となる円（中心部と凸部６０ａの先端部とを結んだ直線が半径となる円）と重なる位置に配置され、かつ凸部６０ａと重ならない位置に配置されている。ここでは、大径の板状部６０ｂを設けた場合でも、取付部６０ｄを大径にすることなく、ボルト６０ｅを取り付けることができる。
【００２３】
カラー部材６５は、図２、図３、図６から図１３に示すように、第１カバー部材１２ａの側部に貫通し外形が略長円形に形成された長穴１２ｆに装着され、両端部の外形が長穴１２ｆの外形に沿うようにそれぞれ略円形に形成され中央部６５ｃで略円形部分が重なるように連通する第１孔部６５ａ及び第２孔部６５ｂを有する弾性部材製の部材である。
【００２４】
カラー部材６５は、図３、図８、図９、図１２、図１３に示すように、ポリアセタール等の弾性を有する合成樹脂によって形成され、外形が略瓢箪型形状（８字形状）に形成されている。ここでは、カラー部材６５を略長円形に形成された長穴１２ｆに装着すると、カラー部材６５の中央部６５ｃと長穴１２ｆとの間に隙間が両側に生成されており、カラー部材６５の中央部６５ｃが変形して広がることが可能であり、後述する操作部材６１の軸部６１ａを第１孔部６５ａ又は第２孔部６５ｂに移動させることができる。ここでは、操作部材６１の軸部６１ａを第１孔部６５ａに移動させたとき、後述する発音部材６２の発音部６２ｃが凹凸部材６０の凸部６０ａの間に配置される発音位置に移動して発音可能状態となり、操作部材６１の軸部６１ａを第２孔部６５ｂに移動させたとき、発音部材６２の発音部６２ｃが凹凸部材６０の凸部６０ａから離反する解除位置に移動して発音解除状態となる。第１孔部６５ａは、図６から図１３に示すように、凹凸部材６０の凸部６０ａに近接した中心側に配置され、第２孔部６５ｂは、凹凸部材６０の凸部６０ａから離反した外周側に配置されている。カラー部材６５の第１孔部６５ａ及び第２孔部６５ｂの内径は、図８、図９、図１２、図１３に示すように、操作部材６１の軸部６１ａの外径と略同一となるように形成されている。カラー部材６５の長軸方向長さは、図８及び図９に示すように、第１カバー部材１２ａの長穴１２ｆの長軸方向長さと略同一となるように形成されている。カラー部材６５は、図１０及び図１１に示すように、長穴１２ｆの段差部に装着されるようになっており、図示しないワッシャ及び操作部材６１の操作部６１ｂによって抜け止めされている。
【００２５】
操作部材６１は、図２から図１３に示すように、カラー部材６５の第１孔部６５ａ及び第２孔部６５ｂのいずれかに位置決めされるように移動自在に装着される軸部６１ａと、軸部６１ａの先端部（図１０左側）に設けられ第１カバー部材１２ａの側部外方に露出する操作部６１ｂとを有している。軸部６１ａの基端部（図１０右側）は、Ｃ型止め輪６１ｃによって、発音部材６２に揺動自在に抜け止めされている。軸部６１ａは、銅合金等の金属によって形成されている。ここでは、軸部６１ａを第１孔部６５ａに移動させたときに発音可能状態となり、軸部６１ａを第２孔部６５ｂに移動させたときに発音解除状態となる。操作部６１ｂは、図３、図６から図９に示すように、釣人が指でスライドさせるための操作部であって、外形が略円形のつまみ部である。操作部６１ｂは、図６から図１１に示すように、第１カバー部材１２ａの収納凹部１２ｇに収納されている。ここでは、軸部６１ａを第１孔部６５ａ又は第２孔部６５ｂに移動させたとき、操作部６１ｂと収納凹部１２ｇの長軸方向の端部との間には隙間が生成されており、このため、軸部６１ａが第１孔部６５ａ又は第２孔部６５ｂのどの位置にあっても操作部６１ｂを指で操作可能になっている。
【００２６】
発音部材６２は、図２から図５に示すように、操作部材６１の軸部６１ａの基端部に揺動自在に装着され、操作部材６１の第１孔部６５ａ及び第２孔部６５ｂへの移動に応じて先端部が凹凸部材６０の凸部６０ａの間に配置される発音位置と凹凸部材６０の凸部６０ａから離反する解除位置とに移動自在である。発音部材６２は、両端にそれぞれ第１付勢部材６３及び第２付勢部材６４が取り付けられる第１取付部６２ａ及び第２取付部６２ｂと、第１取付部６２ａ及び第２取付部６２ｂの中央部から第１取付部６２ａ及び第２取付部６２ｂと交差する方向に延びる発音部６２ｃとを有する外形が略Ｔ字形状となる板状部材である。ここでは、操作部材６１の軸部６１ａを第１孔部６５ａに移動させたとき、発音部材６２の発音部６２ｃが凹凸部材６０の凸部６０ａの間に配置される発音位置に移動して発音可能状態となり（図４参照）、操作部材６１の軸部６１ａを第２孔部６５ｂに移動させたとき、発音部材６２の発音部６２ｃが凹凸部材６０の凸部６０ａから離反する解除位置に移動して発音解除状態となる（図５参照）。
【００２７】
第１付勢部材６３及び第２付勢部材６４は、図３から図５に示すように、発音部材６２の先端部を凹凸部材６０の凸部６０ａ方向に向くように発音部材６２を付勢するコイルばねである。第１付勢部材６３及び第２付勢部材６４の一端部は、図４及び図５に示すように、第１カバー部材１２ａの裏面に形成された図示しないボス孔に立設された第１取付ピン６３ａ及び第２取付ピン６４ａにそれぞれ係止され、第１付勢部材６３及び第２付勢部材６４の他端部は、発音部材６２第１取付部６２ａ及び第２取付部６２ｂに係止されている。ここでは、第１付勢部材６３及び第２付勢部材６４が発音部材６２を凹凸部材６０の凸部６０ａ方向に引っ張るように付勢している。
【００２８】
このスプール発音機構８では、第１カバー部材１２ａの側部に貫通し外形が略長円形に形成された長穴１２ｆに装着され第１孔部６５ａ及び第２孔部６５ｂを有する弾性部材製のカラー部材６５が設けられ、操作部材６１の軸部６１ａがカラー部材６５の第１孔部６５ａ及び第２孔部６５ｂのいずれかに位置決めされるように移動するようになっている。ここでは、操作部材６１の軸部６１ａをカラー部材６５の第１孔部６５ａに移動させたとき（図４、図６、図８、図１０、図１２参照）、発音部材６２の発音部６２ｃが凹凸部材６０の凸部６０ａの間に配置される発音位置に移動して発音可能状態となり、操作部材６１の軸部６１ａをカラー部材６５の第２孔部６５ｂに移動させたとき（図８、図９、図１２、図１３参照）、発音部材６２の発音部６２ｃが凹凸部材６０の凸部６０ａから離反する解除位置に移動して発音解除状態となる。
【００２９】
ハンドル４側の第２カバー部材１２ｂには、図１及び図２に示すように、径方向及び軸方向外方に突出する膨出部１２ｄが形成されている。膨出部１２ｄには、図２に示すように、回転伝達機構６が設けられている。膨出部１２ｄの下方には、ハンドル４のハンドル軸２０を支持するための支持筒部１２ｅが軸方向外方に突出して形成されている。
【００３０】
スプール軸２は、図２に示すように、第１カバー部材１２ａのボス部１２ｃと、第２カバー部材１２ｂにより軸方向移動自在かつ回転不能に支持されている。スプール軸２の左端部には、径方向に沿って貫通する回り止めピン２ａが装着されており、第１カバー部材１２ａのボス部１２ｃには、回り止めピン２ａに係合する回り止めスリット１２ｉ（図３参照）が径方向に沿って形成されている。
【００３１】
スプール軸２は、外周面に配置された２つの第１軸受１６ａ、第２軸受１６ｂによりスプール３を回転自在に支持している。第１軸受１６ａは、皿ばねの形態の第１ばね部材１７ａにより、軸方向内側（図２では右側）に付勢され、第２軸受１６ｂは、コイルばねの形態の第２ばね部材１７ｂにより軸方向内側（図２では左側）に付勢されている。また、第１軸受１６ａ、第２軸受１６ｂの軸方向内側面は、スプール３及びスプール軸２により内側への移動が規制されている。これにより、スプール軸２とスプール３とは、軸方向に一体的に移動可能である。スプール軸２は、レバードラグ機構９により軸方向にスプール３とともに移動する。
【００３２】
スプール３は、図２に示すように、糸巻胴部３ａと糸巻胴部３ａの両端に一体形成されたフランジ部３ｂとを有している。右側のフランジ部３ｂの端面には、レバードラグ機構９を構成する摩擦ディスク４１がねじにより固定されている。
【００３３】
ハンドル４は、図２に示すように、スプール軸２の下方にスプール軸２と平行に配置された筒状のハンドル軸２０の突出端に固定されている。ハンドル軸２０は、リール本体１に回転自在に支持されている。
【００３４】
回転伝達機構６は、図２に示すように、高低２速に切り換え可能な変速機構を備えている。回転伝達機構６は、図２に示すように、ハンドル４のハンドル軸２０に回転自在に支持された高速巻き取り用の第１メインギア１８及び低速巻き取り用の第２メインギア１９と、第１メインギア１８及び第２メインギア１９にそれぞれ噛み合う状態でスプール軸２に回転自在に装着された第１ピニオンギア２１及び第２ピニオンギア２２と、第１メインギア１８及び第２メインギア１９のいずれか一方とハンドル軸２０とを結合し回転を伝達する係合片２３と、係合片２３の図２左側に配置され係合片２３及び後述する第２圧縮ばね２４ｂを介して操作軸を２５軸方向外方（図２右側）に付勢する第１圧縮ばね２４ａ（操作軸付勢部材の一例）と、係合片２３の図２右側に配置され係合片２３を第２メインギア１９側に付勢する第２圧縮ばね２４ｂと、係合片２３の位置を第１メインギア１８に係合する高速位置（図２では、高速位置の係合片２３を実線で示す）又は第２メインギア１９に係合する低速位置（図２では、低速位置の係合片２３を２点鎖線で示す）の一方に設定する操作軸２５とを有している。
【００３５】
第１ピニオンギア２１は、図２に示すように、たとえば非磁性のステンレス合金等の耐蝕性を有する金属製の筒状部材である。第１ピニオンギア２１は、右端がスプール軸２の外側で膨出部１２ｄに装着された第４軸受１６ｄに回転自在に支持されている。また、第１ピニオンギア２１の左端は、レバードラグ機構９のドラグディスク４２に一体回転可能に係合している。第２ピニオンギア２２は、第１ピニオンギア２１と同様な材質の筒状部材であり、左端がドラグディスク４２に一体回転可能に係合している。係合片２３は、ハンドル軸２０のスリット内に回転不能に配置されている。操作軸２５は、図２に示すように、ハンドル軸２０の貫通孔２０ｂに挿通されている。操作軸２５の図２右側の端部は、ハンドル４の軸方向外方（図２右側）に突出しており、操作軸２５を図２左方向に押し込むことが可能である。
【００３６】
このような構成の回転伝達機構６では、操作軸２５を図２左側に押し込むと、第２メインギア１９に係合片２３が配置されハンドル４の回転が第２メインギア１９を介して第２ピニオンギア２２に伝達されスプール３が低速回転する。一方、操作軸２５を図２右側に引き出すと、第１メインギア１８に係合片２３が配置されハンドル４の回転が第１メインギア１８を介して第１ピニオンギア２１に伝達されスプール３が高速回転する。
【００３７】
レバードラグ機構９は、図２に示すように、スプール３の図２右端に装着された摩擦ディスク４１と、摩擦ディスク４１と対向して配置されたドラグディスク４２と、スプール軸２を軸方向に往復移動させるための移動機構４３とを有している。
【００３８】
摩擦ディスク４１は、図２に示すように、たとえば、カーボングラファイトや繊維強化樹脂等の耐摩耗性材製のワッシャ状の円板部材であり、周方向に間隔を隔てて配置された複数本の取付ボルトにより、スプール３の右側のフランジ部３ｂの外側面に固定されている。
【００３９】
ドラグディスク４２は、図２に示すように、第１ピニオンギア２１及び第２ピニオンギア２２に一体回転可能に係合するディスク本体４５と、ディスク本体４５に複数本の取付ボルトにより固定され、摩擦ディスク４１に対向して配置されるたとえばステンレス製の制動ディスク４６とを備えている。ディスク本体４５は、たとえば、アルミダイキャスト製の円板状の部材であり、スプール軸２に第３軸受１６ｃにより回転自在に支持されている。ディスク本体４５のスプール３に対向する面には、制動ディスク４６が固定されている。
【００４０】
移動機構４３は、図２に示すように、リール本体１に揺動自在に設けられたドラグレバー８０と、ドラグレバー８０の図１時計回りの揺動に応じてスプール軸２を引っ張って図２右方に移動させる引張機構８１と、スプール軸２を図２左方に付勢してドラグレバー８０の図反時計回りの移動に応じてスプール軸を図２左方に移動させるための第２ばね部材１７ｂとを有している。
【００４１】
このように構成されたレバードラグリールにおいて、レバードラグ機構９のドラグ力を強弱調整する場合には、ドラグレバー８０を揺動させる。ドラグレバー８０を図１において最も手前側の揺動位置であるドラグ解放位置に配置すると、レバードラグ機構９において、ドラグディスク４２から摩擦ディスク４１が離反してドラグ開放状態になり、スプール３が自由回転可能になる。これにより、キャスティングを行える。そこから、図１時計回りにドラグレバー８０を揺動操作するとスプール軸方向外方（図２右側）に徐々に移動しスプール軸２及びスプール３が徐々に右側に移動する。この結果、摩擦ディスク４１のドラグディスク４２への圧接力が強くなり、ドラグ力が強くなる。
【００４２】
このようなレバードラグリールのスプール発音機構８では、第１カバー部材１２ａの側部に貫通し外形が略長円形に形成された長穴１２ｆに装着され第１孔部６５ａ及び第２孔部６５ｂを有する弾性部材製のカラー部材６５が設けられ、操作部材６１の軸部６１ａがカラー部材６５の第１孔部６５ａ及び第２孔部６５ｂのいずれかに位置決めされるように移動するようになっている。ここでは、操作部材６１の軸部６１ａをカラー部材６５の第１孔部６５ａに移動させたとき、発音部材６２の発音部６２ｃが凹凸部材６０の凸部６０ａの間に配置される発音位置に移動して発音可能状態となり、操作部材６１の軸部６１ａをカラー部材６５の第２孔部６５ｂに移動させたとき、発音部材６２の発音部６２ｃが凹凸部材６０の凸部６０ａから離反する解除位置に移動して発音解除状態となる。ここでは、第１孔部６５ａ及び第２孔部６５ｂを有する弾性部材製のカラー部材６５が設けられているので、操作部材６１の軸部６１ａをカラー部材６５の第１孔部６５ａ又は第２孔部６５ｂに移動させるときに、カラー部材６５の中央部６５ｃが変形して広がり操作部材６１の軸部６１ａがカラー部材６５の第１孔部６５ａ又は第２孔部６５ｂに位置決めされるように移動する。したがって、比較的単純な形状である第１孔部６５ａ及び第２孔部６５ｂを有する弾性部材製のカラー部材６５を設けることによって、機構を簡素化できるとともに、操作部材６１の軸部６１ａをカラー部材６５の第１孔部６５ａ又は第２孔部６５ｂに移動させたときに、釣人は適度なクリック感を得ることができる。
【００４３】
〔他の実施形態〕
（ａ）  前記実施形態では、中型のレバードラグリールを例にあげて説明したが、これに限られるものではなく、発音装置を有する両軸受リールであれば、あらゆる両軸受リールに本発明を適用できる。
【００４４】
（ｂ）  前記実施形態では、カラー部材６５は、ポリアセタール等の弾性を有する合成樹脂により形成されていたが、カラー部材６５の材質はこれに限定されるものではなく、たとえば、弾性を有する金属製のばね部材であってもよい。
【００４５】
（ｃ）  前記実施形態では、カラー部材６５は、外形が略瓢箪型形状（８字形状）に形成されていたが、カラー部材６５の形状はこれに限定されるものではなく、たとえば、略瓢箪型形状の中央部６５ｃと第１カバー部材１２ａの長穴１２との間の両側の隙間が一側のみとなるように片側外形が直線状になるようにしてもよい。
【００４６】
（ｄ）  前記実施形態では、発音部材６２は、外形が略Ｔ字形状に形成されていたが、発音部材６２の形状はこれに限定されるものではない。
【符号の説明】
【００４７】
１  リール本体
２  スプール軸
２ａ  回り止めピン
３  スプール
３ａ  糸巻胴部
３ｂ  フランジ部
４  ハンドル
５  フレーム
６  回転伝達機構
８  スプール発音機構
９  レバードラグ機構
１０ａ  第１側板
１１ａ  連結部
１１ｂ  連結部
１１ｃ  連結部
１１ｄ  竿装着部
１２ａ  第１カバー部材
１２ｂ  第２カバー部材
１２ｃ  ボス部
１２ｄ  膨出部
１２ｅ  支持筒部
１２ｆ  長穴
１２ｇ  収納凹部
１２ｉ  回り止めスリット
１６ａ  第１軸受
１６ｂ  第２軸受
１６ｃ  第３軸受
１６ｄ  第４軸受
１７ａ  第１ばね部材
１７ｂ  第２ばね部材
１８  第１メインギア
１９  第２メインギア
２０  ハンドル軸
２１  第１ピニオンギア
２２  第２ピニオンギア
２３  係合片
２４ａ  第１圧縮ばね
２４ｂ  第２圧縮ばね
２５  操作軸
４１  摩擦ディスク
４２  ドラグディスク
４３  移動機構
４５  ディスク本体
４６  制動ディスク
６０  凹凸部材
６０ａ  凸部
６０ｂ  板状部
６０ｃ  筒状部
６０ｄ  取付部
６０ｅ  ボルト
６１  操作部材
６１ａ  軸部
６１ｂ  操作部
６１ｃ  Ｃ型止め輪
６２  発音部材
６２ａ  第１取付部
６２ｂ  第２取付部
６２ｃ  発音部
６３  第１付勢部材
６３ａ  第１取付ピン
６４  第２付勢部材
６４ａ  第２取付ピン
６５  カラー部材
６５ａ  第１孔部
６５ｂ  第２孔部
６５ｃ  中央部
８０  ドラグレバー
８１  引張機構
【図１】
2011019427.tif 000003
【図２】
2011019427.tif 000004
【図３】
2011019427.tif 000005
【図４】
2011019427.tif 000006
【図５】
2011019427.tif 000007
【図６】
2011019427.tif 000008
【図７】
2011019427.tif 000009
【図８】
2011019427.tif 000010
【図９】
2011019427.tif 000011
【図１０】
2011019427.tif 000012
【図１１】
2011019427.tif 000013
【図１２】
2011019427.tif 000014
【図１３】
2011019427.tif 000015
【図１４】
2011019427.tif 000016
【図１５】
2011019427.tif 000017